(57)【要約】【課題】圧縮機を小型化しても、キーを所望の距離だけ摺動させることが目的とされる。【解決手段】圧縮機１は、筒状のケース１１、オルダムリング２、及び固定部材１２を備える。オルダムリングはキーを有する。固定部材１２は、ハウジングであって、ケース１１の内壁１１ａに隙間なく嵌められている。例えば圧入や焼ばめ等の方法で、固定部材１２は内壁１１ａに嵌められる。固定部材１２には、キーが摺動自在に嵌まるキー溝１２１，１２２が設けられている。キー溝１２１，１２２は互いに、回転軸９０に対して反対側の位置にあり、いずれも固定部材１２を外周まで突っ切っている。【選択図】図２
2008240709.tif 000002
【特許請求の範囲】
【請求項１】
筒状のケース（１１）と、
キー（２１１，２１２）を有するオルダムリング（２）と、
前記ケースの内壁（１１ａ）に隙間なく嵌められ、前記キーが摺動自在に嵌まるキー溝（１２１，１２２；１２３，１２４）が設けられた固定部材（１２）と
を備え、
前記キー溝は、前記固定部材を外周まで突っ切る、圧縮機。
【請求項２】
前記固定部材（１２）は、前記ケース内で圧力の異なる二つの空間（２８，２９）を仕切る、請求項１記載の圧縮機。
【請求項３】
前記固定部材（１２）は、圧入及び焼きばめの少なくともいずれか一方の方法で前記内壁（１１ａ）に嵌められる、請求項１または請求項２記載の圧縮機。
【請求項４】
前記固定部材（１２）は、シールを介して前記内壁（１１ａ）に嵌められる、請求項１または請求項２記載の圧縮機。
【請求項５】
前記キー溝（１２１，１２２）は前記ケース（１１）の中心側に閉じられた端（１２１１，１２２１）を有し、
前記端は平坦な形状を呈する、請求項１乃至請求項４のいずれか一つに記載の圧縮機。
【請求項６】
前記キー（２１１，２１２）が摺動する方向（９２）に対する前記キー溝（１２１）の幅は、前記端（１２１１）の近傍で拡がっている、請求項５記載の圧縮機。
【請求項７】
前記ケースが延びる方向（９１）から見たときの前記キー溝（１２１）は、前記端の両側をそれぞれ、前記キー（２１１，２１２）が摺動する方向（９２）に対するキー溝（１２１）の幅の最小値（ｄ）の、１／４倍乃至１／２倍の曲率半径（Ｒ１，Ｒ２）で湾曲させる、請求項５または請求項６記載の圧縮機。
【請求項８】
前記固定部材（１２）は環状を呈し、
前記キー溝（１２３，１２４）は、前記固定部材を内周まで突っ切る、請求項１乃至請求項４のいずれか一つに記載の圧縮機。
【請求項９】
前記ケース（１１）が延びる方向（９１）において、前記キー溝（１２１）の位置（ｒ１）と、前記固定部材（１２）の前記外周の面（１２ａ）のうち前記内壁（１１ａ）に嵌められる部分の位置（ｒ２）とがずれている、請求項１乃至請求項８のいずれか一つに記載の圧縮機。
【発明の詳細な説明】
【技術分野】
【０００１】
本発明は圧縮機に関し、特に固定部材に設けられたキー溝の形状に関する。
【背景技術】
【０００２】
スクロール型の圧縮機は、冷媒を圧縮する圧縮機構と、ケースに固定されたハウジングとを備えている。圧縮機構は、可動スクロールと固定スクロールを有する。
【０００３】
従来から、可動スクロールの自転を防止すべく、可動スクロールとハウジングとの間にオルダムリングが配設されている。具体的には、可動スクロール及びハウジングのそれぞれに設けられたキー溝に、オルダムリングのキーが摺動自在に嵌められる。なお、固定スクロールは、可動スクロールに対してハウジングとは反対側に位置する。
【０００４】
かかる圧縮機は、例えば特許文献１や特許文献２に開示されている。
【特許文献１】特許第３８３２３６９号公報
【特許文献２】特開２００６−１６１８１８号公報
【発明の開示】
【発明が解決しようとする課題】
【０００５】
しかし、従来の圧縮機では、ハウジングの縁と固定スクロールの縁とを、隙間なく密着させている。これは、ハウジングの可動スクロール側と、それとは反対側の、圧力の異なる二つの空間を仕切るためである。
【０００６】
このため、ハウジングのキー溝は、ハウジングが固定スクロールに密着する部分よりも内側に設けなければならず、キー溝の長さをあまり大きくすることができなかった。延いては、圧縮機を小型化すると、所望の長さのキー溝を設けることができないという問題があった。
【０００７】
本発明は上述した事情に鑑みてなされたものであり、圧縮機を小型化しても、キーを所望の距離だけ摺動させることが目的とされる。
【課題を解決するための手段】
【０００８】
第１の発明にかかる圧縮機は、筒状のケースと、オルダムリングと、固定部材とを備える。オルダムリングはキーを有する。固定部材は、ケースの内壁に隙間なく嵌められ、キーが摺動自在に嵌まるキー溝が設けられている。キー溝は、固定部材を外周まで突っ切っている。
【０００９】
第２の発明にかかる圧縮機は、第１の発明にかかる圧縮機であって、固定部材は、ケース内で圧力の異なる二つの空間を仕切っている。
【００１０】
第３の発明にかかる圧縮機は、第１または第２の発明にかかる圧縮機であって、固定部材は、圧入及び焼きばめの少なくともいずれか一方の方法でケースの内壁に嵌められる。
【００１１】
第４の発明にかかる圧縮機は、第１または第２の発明にかかる圧縮機であって、固定部材は、シールを介してケースの内壁に嵌められる。
【００１２】
第５の発明にかかる圧縮機は、第１乃至第４の発明のいずれか一つにかかる圧縮機であって、キー溝はケースの中心側に閉じられた端を有する。その端は平坦な形状を呈する。
【００１３】
第６の発明にかかる圧縮機は、第５の発明にかかる圧縮機であって、キーが摺動する方向に対するキー溝の幅は、端の近傍で拡がっている。
【００１４】
第７の発明にかかる圧縮機は、第５または第６の発明にかかる圧縮機であって、ケースが延びる方向から見たときのキー溝は、その端の両側をそれぞれ、キーが摺動する方向に対するキー溝の幅の最小値の、１／４倍乃至１／２倍の曲率半径で湾曲させている
第８の発明にかかる圧縮機は、第１乃至第４の発明のいずれか一つにかかる圧縮機であって、固定部材は環状を呈する。キー溝は、固定部材を内周まで突っ切っている。
【００１５】
第９の発明にかかる圧縮機は、第１乃至第８の発明のいずれか一つにかかる圧縮機であって、ケースが延びる方向において、キー溝の位置と、固定部材の外周の面のうちケースの内壁に嵌められる部分の位置とがずれている。
【発明の効果】
【００１６】
第１の発明にかかる圧縮機によれば、キー溝が固定部材を外周まで突っ切るので、キーの摺動できる距離が長くなる。よって、ケースの内径を小さくして圧縮機を小型化しても、キーを所望の距離だけ摺動させることができる。
【００１７】
第２の発明にかかる圧縮機によれば、固定部材の両側に生じた圧力差を維持することができる。
【００１８】
第３または第４の発明にかかる圧縮機によれば、固定部材をケースの内壁に隙間なく嵌めることができる。
【００１９】
第５の発明にかかる圧縮機によれば、端の形状が平坦であるので、かかる形状が湾曲したものに比べて、キーが摺動できる距離を縮めずに、キーが摺動する方向についてのキー溝の長さを小さくすることができる。よって、圧縮機を小型化することができる。
【００２０】
第６または第７の発明にかかる圧縮機によれば、端の形状を平坦にしやすい。
【００２１】
第８の発明にかかる圧縮機によれば、キーが摺動できる距離をより長くすることができ、以って圧縮機をより小型化することができる。
【００２２】
第９の発明にかかる圧縮機によれば、固定部材の内壁への嵌め込みに起因したキー溝の歪みを防止することができる。
【発明を実施するための最良の形態】
【００２３】
＜圧縮機の構造＞
図１は、本発明の実施の形態にかかる圧縮機１を概念的に示す図であって、後述する図２、図４及び図５のそれぞれで示される位置I−Iでの断面である。なお、図１には方向９１が示されており、以下では方向９１の矢印の先側を「上側」、それとは反対側を「下側」という。
【００２４】
圧縮機１は、ケース１１、オルダムリング２、固定部材１２、圧縮機構１５、モータ１６、クランク軸１７、吸入管１９、吐出管２０、及び軸受６０を備える。なお、吐出管２０は、後述する図３に示されている。
【００２５】
ケース１１は筒状であって、方向９１に沿って延びている。ケース１１には、オルダムリング２、固定部材１２、圧縮機構１５、モータ１６、クランク軸１７、及び軸受６０が収納されている。
【００２６】
モータ１６は、固定子５１と回転子５２とを有する。固定子５１は環状であって、ケース１１の内壁１１ａに固定されている。回転子５２は、固定子５１の内周側に設けられ、固定子５１にエアギャップを介して対向している。
【００２７】
クランク軸１７は、方向９１に沿って延び、主軸１７ａと偏心部１７ｂとを有する。主軸１７ａは、回転軸９０を中心として回転する部分であって、回転子５２に接続されている。偏心部１７ｂは、回転軸９０から偏って配置された部分であって、主軸１７ａの上側に接続されている。クランク軸１７の下側の端は、軸受６０で摺動自在に支持されている。
【００２８】
固定部材１２は、具体的に図１ではハウジングであって、ケース１１の内壁１１ａに隙間なく嵌められている。例えば圧入や焼ばめ等の方法で、固定部材１２は内壁１１ａに嵌められる。固定部材１２は、シールを介して内壁１１ａに嵌められても良い。
【００２９】
固定部材１２は、内壁１１ａに隙間なく嵌められるので、固定部材１２の下側に位置する空間２８と、上側に位置する空間２９とを隙間なく仕切る。よって、固定部材１２は、空間２８と空間２９との間に生じた圧力差を維持することができる。なお、後述するように、空間２８の圧力は高く、空間２９の圧力は低い。空間２８は「高圧空間」と通称され、空間２９は「低圧空間」と通称されている。
【００３０】
固定部材１２には、上側に開口した窪み３１が、回転軸９０近傍に設けられている。窪み３１には、クランク軸１７の偏心部１７ｂが収まる。更に、固定部材１２は軸受３２及び孔３３を有する。クランク軸１７の主軸１７ａが孔３３を貫通した状態で、軸受３２は主軸１７ａを支持する。
【００３１】
図２は、ケース１１の内壁１１ａに嵌められた固定部材１２を上から見た図である。固定部材１２には、窪み３１の外側においてキー溝１２１，１２２が設けられている。キー溝１２１，１２２は互いに、回転軸９０に対して反対側の位置にあり、いずれも回転軸９０を中心とする径方向へと延びる。なお、キー溝１２１，１２２の形状については後述する。
【００３２】
圧縮機構１５は、固定スクロール２４と可動スクロール２６とを有し、冷媒を圧縮する。
【００３３】
固定スクロール２４は、鏡板２４ａとラップ２４ｂとを含む。鏡板２４ａは、ケース１１の内壁１１ａに固定されている。ラップ２４ｂは鏡板２４ａの下側に連結されており、下から見た形状は渦巻き状である。換言すれば、固定スクロール２４には渦巻き状に延びた溝２４ｃが設けられている。
【００３４】
固定スクロール２４の上側の面は凹状を呈する。当該面のうち凹状を呈する部分４２で囲まれた空間４５は、蓋４４で塞がれている。蓋４４は、圧力の異なる二つの空間、すなわち空間４５と、その上側の空間２９とを仕切る。
【００３５】
可動スクロール２６は、鏡板２６ａ、ラップ２６ｂ及び軸受２６ｃを有する。軸受２６ｃは、鏡板２６ａの下側に連結されており、クランク軸１７の偏心部１７ｂを摺動自在に支持する。ラップ２６ｂは、鏡板２６ａの上側に連結されており、上から見た形状は渦巻き状であって固定スクロール２４の溝２４ｃに収まる。
【００３６】
ラップ２４ｂとラップ２６ｂとの間の空間４０は、鏡板２４ａ，２６ａによって密閉され、圧縮機構１５の圧縮室として用いられる。
【００３７】
図３は、図２に示される位置III−IIIでの断面を示す図である。図３を用いて、圧縮機１内での冷媒の流れを説明する。なお図３では、冷媒の流れを矢印で示す。吸入管１９から冷媒が吸入され、圧縮機構１５の圧縮室（空間４０）へと導かれる。圧縮室（空間４０）で圧縮された冷媒は、固定スクロール２４の中心近傍に設けられた孔４１から、空間４５へと排出される。よって、空間４５の圧力は高い。他方、蓋４４で空間４５とは仕切られた空間２９の圧力は小さいままである。
【００３８】
空間４５内の冷媒は、固定スクロール２４に設けられた孔４６、及び固定部材１２に設けられた孔４８をこの順に通って、固定部材１２の下側の空間２８へと流れる。空間２８では冷媒は、案内板５８によって隙間５５へ導かれる。ここで隙間５５は、固定子５１の側面の一部分と、ケース１１との間に設けられている。
【００３９】
そして、隙間５５を通ってモータ１６の下側に流れた冷媒は、モータ１６のエアギャップ、または隙間５６通って、吐出管２０へと流れる。ここで、隙間５６は、固定子５１の側面の他の一部分とケース１１との間に設けられている。
【００４０】
図４は、可動スクロール２６を軸受２６ｃ側（下側）から見た図である。鏡板２６ａには、軸受２６ｃの外側において二つのキー溝２６１，２６２が設けられている。キー溝２６１，２６２は互いに、回転軸９０に対して反対側の位置にある。回転軸９０から見たときのキー溝２６１，２６２の位置はいずれも、回転軸９０から見たときのキー溝１２１，１２２が位置する方向（位置I−Iに沿う方向（図２及び図４））とは垂直な方向にある。
【００４１】
図５及び図６はそれぞれ、オルダムリング２を概念的に示す下面図及び側面図である。オルダムリング２は、キー２１１，２１２、キー２２１，２２２及び環状部材２３を有している。オルダムリング２は、固定部材１２と可動スクロール２６とで挟まれる（図１）。
【００４２】
具体的には、キー２１１，２１２は、環状部材２３の下側の面２３ａ（図６）に配設されている。キー２１１，２１２は、互いに回転軸９０に対して反対側の位置にあり、それぞれキー溝１２１，１２２に摺動自在に嵌まる。
【００４３】
キー２２１，２２２は、環状部材２３の上側の面２３ｂ（図６）に配設されており、互いに回転軸９０に対して反対側の位置にある。そして、回転軸９０から見たキー２２１，２２２の位置はいずれも、回転軸９０から見たときのキー２１１，２１２が位置する方向とは垂直な方向９３１，９３２にある。キー２２１，２２２はそれぞれ、キー溝２６１，２６２に摺動自在に嵌まる。
【００４４】
よって、可動スクロール２６は、オルダムリング２を介して固定部材１２に支持され、以って可動スクロール２６の自転が防止される。
【００４５】
＜キー溝の形状＞
図２を用いて、キー溝１２１，１２２の形状について説明する。キー溝１２１は、固定部材１２を外周まで突っ切っている。キー溝１２２も同様である。なお、キー溝１２１，１２２はそれぞれ、ケース１１の中心側に閉じられた端１２１１，１２２１を有する。なお、ケース１１の中心は、回転軸９０にほぼ一致する。
【００４６】
図７は、図1に示される圧縮機１のうち、ケース１１に固定された固定部材１２と、オルダムリング２とを示した図である。図７では、キー溝１２１，１２２のそれぞれに、オルダムリング２のキー２１１，２１２が嵌まった状態が示されている。キー２１１，２１２はそれぞれ、キー溝１２１，１２２を方向９２に沿って摺動する。
【００４７】
キー溝１２１，１２２が固定部材１２を外周まで突っ切っているので、キー２１１，２１２の摺動できる距離Ｌ１が長くなる。よって、ケース１１の内径Ｒ３を小さくして圧縮機１を小型化しても、キー２１１，２１２を所望の距離だけ摺動させることができる。
【００４８】
図８は、キー溝１２１の端１２１１の形状を概念的に示す。端１２１１は平坦な形状を呈しており、キー２１１，２１２が摺動する方向９２に略垂直である。
【００４９】
かかるキー溝１２１によれば、端１２１１の形状が平坦であるので、かかる形状が湾曲したものに比べて、キー２１１が摺動できる距離Ｌ１を縮めずに、方向９２についてのキー溝１２１の長さを小さくすることができる。よって、圧縮機１を小型化することができる。
【００５０】
図８では、キー溝１２１の方向９２に対する幅は、端１２１１の近傍で拡がっている。かかる形状によれば、端１２１１の形状を平坦にしやすい。具体的には、方向９１から見たときのキー溝１２１は、端１２１１の両側をそれぞれ、所定の曲率半径Ｒ１，Ｒ２で湾曲させる。ここで、所定の曲率半径Ｒ１は、キー溝１２１の方向９２に対する幅の最小値ｄを１／４乃至１／２倍したものである。
【００５１】
上述したキー溝１２１の形状は、キー溝１２２についても適用される。
【００５２】
図７に戻って、方向９１において、キー溝１２１，１２２の位置ｒ１と、固定部材１２の外周の面１２ａのうち内壁１１ａに嵌められる部分の位置ｒ２とは、ずれている。これにより、固定部材１２の内壁１１ａへの嵌め込みに起因したキー溝１２１，１２２の歪みを防止することができる。
【００５３】
図９は、図２で示されるキー溝１２１，１２２とは異なる形状を呈するキー溝１２３，１２４を示す図である。キー溝１２３，１２４は、固定部材１２を外周に突っ切るだけでなく、内周にも突っ切っている。なお、キー溝１２３，１２４にはそれぞれ、オルダムリング２のキー２１１，２１２が摺動自在に嵌まる。
【００５４】
かかるキー溝１２３，１２４によれば、キー２１１，２１２が摺動できる距離Ｌ１をより長くすることができ、以って圧縮機１をより小型化することができる。
【図面の簡単な説明】
【００５５】
【図１】本発明の実施の形態にかかる圧縮機１を概念的に示す断面図である。
【図２】固定部材１２を上から見た図である。
【図３】図２で示される位置III−IIIでの圧縮機１の断面を示す図である。
【図４】可動スクロール２６を軸受２６ｃ側から見た図である。
【図５】オルダムリング２を概念的に示す下面図である。
【図６】オルダムリング２を概念的に示す側面図である。
【図７】図１の圧縮機１のうち、固定部材１２とオルダムリング２とを示す図である。
【図８】キー溝１２１の端１２１１の形状を概念的に示す図である。
【図９】キー溝１２３，１２４の形状を概念的に示す図である。
【符号の説明】
【００５６】
２  オルダムリング
１１  ケース
１１ａ  内壁
１２  固定部材
１２ａ  外周の面
２８，２９  空間
９１，９２  方向
１２１〜１２４  キー溝
２１１，２１２  キー
１２１１，１２２１  端
ｄ  幅の最小値
Ｒ１，Ｒ２  曲率半径
ｒ１，ｒ２  位置
【図１】
2008240709.tif 000003
【図２】
2008240709.tif 000004
【図３】
2008240709.tif 000005
【図４】
2008240709.tif 000006
【図５】
2008240709.tif 000007
【図６】
2008240709.tif 000008
【図７】
2008240709.tif 000009
【図８】
2008240709.tif 000010
【図９】
2008240709.tif 000011